(57)【特許請求の範囲】
【請求項１】
天井部に設けられた支持部材に支持される被支持部を有する基板部と、基板部の両側部から下方に折曲された一対の側板部とにより部品収納部を形成し、側板部の下端部から両外側に折曲され、天井板を支持することができる天井板支持部とが一体に形成された器具本体と；
器具本体に設けられたランプソケットと；
部品収納部に配設された点灯装置と；
器具本体に連結固定される断面略コの字状の連結金具と；
ランプソケットが挿通する挿通部を有し、天井支持部を内包して上端部が天井板に当接して器具本体に支持される反射板と；
を具備していることを特徴とする照明器具。
【請求項２】
天井板支持部は、略水平板状に突設された張出部であることを特徴とする請求項１記載の照明器具。
【請求項３】
天井部に設けられた支持部材と；
支持部材に取り付けられる請求項１または２記載の照明器具と；
照明器具の天井板支持部に支持された天井板と；
を具備していることを特徴とする天井システム。
【請求項４】
天井板は、天井板本体と、この天井板本体に組み合わせられた天井板補強部とを備え、
支持部材と天井板支持部との間の離間寸法は、天井板本体と天井板補強部とを組み合わせた天井板の厚さ寸法よりも大きく設定された
ことを特徴とする請求項３記載の天井システム。
【請求項５】
天井部に設けられた支持部材と；
支持部材に支持される被支持部と天井板を支持することができる天井板支持部を備えた器具本体と、器具本体に設けられたランプと、器具本体に配設された点灯装置とを有し、支持部材に取り付けられる照明器具と；
照明器具の天井板支持部に支持された天井板と；
を具備する天井システムにおいて、
支持部材と天井板支持部との間の離間寸法は、天井板の厚さ寸法よりも大きく設定され、さらに、支持部材としてのＣチャンネルに取り付けられたＭバーの厚さ寸法及びこのＭバーに取り付けられたボードの厚さ寸法の合計寸法に略等しくなるように設定されている
ことを特徴とする天井システム。
【発明の詳細な説明】
【０００１】
【発明の属する技術分野】
本発明は、天井部に設置される照明器具及びこの照明器具を用いた天井システムに関する。
【０００２】
【従来の技術】
従来、照明器具を在来天井に取り付けるには、天井構造物に垂下された吊りボルトにナットを螺合して固定し、あるいは、吊りボルトに支持されたＣチャンネルにＭバーを取り付けたうえ、このＭバーにねじを用いて器具本体が固定されている。また、化粧石膏ボードを天井下地に取り付ける際には、取付ねじを用い、この取付ねじを化粧石膏ボードの下面から天井下地にねじ込んで固定している。
しかしながら、このような在来工法では、照明器具の設置作業とは別に、天井ボードをＭバーにビス止めする作業が必要で、工期が長くなり、コストの低減が困難になる問題を有している。また、いわゆるシステム天井工法においては、吊りボルトに取り付けられるＴバーを用い、このＴバーに天井ボードの縁部を載せ掛けて、天井ボードを設置している。しかしながら、このような構成では、Ｔバーの設置が必要で、コストの低減が必ずしも容易でない問題を有している。
【０００３】
【発明が解決しようとする課題】
上記のように、Ｍバーを用いる在来工法では、照明器具の設置作業とは別に、天井ボードをＭバーにビス止めする作業が必要で、工期が長くなり、コストの低減が困難になる問題を有している。また、Ｔバーを用いるシステム天井工法においては、Ｔバーの設置が必要で、コストの低減が必ずしも容易でない問題を有している。
【０００４】
本発明は、このような点に鑑みなされたもので、コストを容易に低減できる照明器具及び天井システムを提供することを目的とする。
【０００５】
【課題を解決するための手段】
請求項１記載の照明器具は、天井部に設けられた支持部材に支持される被支持部を有する基板部と、基板部の両側部から下方に折曲された一対の側板部とにより部品収納部を形成し、側板部の下端部から両外側に折曲され、天井板を支持することができる天井板支持部とが一体に形成された器具本体と；器具本体に設けられたランプソケットと；部品収納部に配設された点灯装置と；器具本体に連結固定される断面略コの字状の連結金具と；ランプソケットが挿通する挿通部を有し、天井支持部を内包して上端部が天井板に当接して器具本体に支持される反射板と；を具備しているものである。
【０００６】
そして、この構成では、天井部の支持部材に器具本体を取り付けた状態で、この器具本体の天井板支持部に天井板を支持させ、天井板の設置が可能になる。このため、器具本体をいわば天井下地と兼用することにより、天井板を支持する部材の廃止あるいは削減が可能になり、天井板のＭバーへのビス止め作業などが不要となって、天井工事と照明設備工事の全体的な工期及びコストの削減が可能になる。
【０００７】
なお、支持部材は、例えば、Ｃチャンネルである。また、天井板は、化粧石膏ボードなど一枚の平板状の部材のものの他、複数の部材を組み合わせて略板状としたものを許容し、例えば、岩綿吸音板に補強板としてのＨバーを組み合わせたものとすることができる。また、ランプソケットは、例えば、直管形の蛍光ランプを装着するもので、点灯装置は、例えば、インバータ装置あるいは端子台を有するものである。さらに、器具本体は、金属板を折曲などして一体的に形成したものの他、複数の部材を組み合わせて構成したものを許容する。
【０００８】
また、支持部材をＣチャンネルとし、器具本体の被支持部に、ＣチャンネルにＭバーを取り付ける取付金具が係止される孔部を備えることにより、専用の金具を必要とせず、在来天井で広く使用されている安価なＣチャンネルとＭバーを接続する取付金具を用いて照明器具の取り付けが可能になり、コストが容易に削減される。
【０００９】
請求項２記載の照明器具は、請求項１記載の照明器具において、天井板支持部は、略水平板状に突設された張出部であるものである。
【００１０】
そして、この構成では、Ｔバーを用いることなく、Ｔバーを備えたシステム天井と同様の施工作業が可能になり、設置作業が短時間で容易に可能になるとともに、照明器具の構造が簡略化され、製造コストが容易に低減される。
【００１１】
請求項３記載の天井システムは、天井部に設けられた支持部材と；支持部材に取り付けられる請求項１または２記載の照明器具と；照明器具の天井板支持部に支持された天井板と；を具備しているものである。
【００１２】
そして、この構成では、請求項１または２記載の照明器具を備えたので、天井板の設置が容易になるとともに、天井板を支持する部材の廃止あるいは削減が可能になり、天井工事と照明設備工事の全体的な工期及びコストの削減が可能になる。
【００１３】
請求項４記載の天井システムは、請求項３記載の天井システムにおいて、天井板は、天井板本体と、この天井板本体に組み合わせられた天井板補強部とを備え、支持部材と天井板支持部との間の離間寸法は、天井板本体と天井板補強部とを組み合わせた天井板の厚さ寸法よりも大きく設定されたものである。
【００１４】
天井板本体と天井板補強部とを組み合わせた天井板が、支持部材と天井板支持部との間で安定して支持され、天井システムの構造が簡略化され、製造コストが軽減される。
【００１５】
請求項５記載の天井システムは、天井部に設けられた支持部材と；支持部材に支持される被支持部と天井板を支持することができる天井板支持部を備えた器具本体と、器具本体に設けられたランプと、器具本体に配設された点灯装置とを有し、支持部材に取り付けられる照明器具と；照明器具の天井板支持部に支持された天井板と；を具備する天井システムにおいて、支持部材と天井板支持部との間の離間寸法は、天井板の厚さ寸法よりも大きく設定され、さらに、支持部材としてのＣチャンネルに取り付けられたＭバーの厚さ寸法及びこのＭバーに取り付けられたボードの厚さ寸法の合計寸法に略等しくなるように設定されているものである。
【００１６】
そして、この構成では、天井部の支持部材に器具本体を取り付けた状態で、この器具本体の天井板支持部に天井板を支持させ、天井板の設置が可能になる。このため、器具本体をいわば天井下地と兼用することにより、天井板を支持する部材の廃止あるいは削減が可能になり、天井板のＭバーへのビス止め作業などが不要となって、天井工事と照明設備工事の全体的な工期及びコストの削減が可能になる。そして、天井板の設置が容易になるとともに、天井板を支持する部材の廃止あるいは削減が可能になり、天井工事と照明設備工事の全体的な工期及びコストの削減が可能になる。そして、この構成では、天井板が支持部材と天井板支持部との間で安定して支持され、ボードがＣチャンネルに取り付けられたＭバーと天井板支持部との間で安定して支持されるとともに、天井の薄型化が可能になる。
【００１７】
【発明の実施の形態】
以下、本発明の照明器具及び天井システムの一実施の形態を図面を参照して説明する。
【００１８】
図１は本発明の照明器具及び天井システムの一実施の形態を示す断面図である。図２は同上照明器具及び天井システムの下方から見た斜視図である。図３は同上照明器具及び天井システムの上方から見た斜視図である。図４は同上照明器具及び天井システムの上方から見た斜視図である。図５は同上照明器具の構成を示す説明図である。図６は同上天井システムの構成を示す説明図である。図７は同上照明器具の構成を示す説明図である。図８は同上照明器具の構成を示す説明図である。
【００１９】
なお、図１、図３、及び図４においては、図１に示す中心線Ｏの左側にいわゆるＨバー方式の工法が示され、中心線Ｏの右側にいわゆる直張り天井の工法が示されている。これら２工法は、一般に、同時に行われることはなく、互いに異なる実施の形態となるものであるが、便宜上、同一の図面の左右に示して説明する。
【００２０】
図において、１は天井部で、この天井部１は、例えば、オフィスビルの事務室の天井部分であり、天井システム２が構成されている。そして、この天井システム２は、天井スラブなどの天井構造物３に鉛直に固定された複数の吊りボルト４を備え、各吊りボルト４には、ナットなどを用いて野縁受け材吊り金具であるチャンネルハンガー６が取り付けられ、さらに、このチャンネルハンガー６により、支持部材としての野縁受け材である断面略コの字状などのＣチャンネル10が互いに平行に複数設置されている。なお、必要に応じて、他のＣチャンネル10と交差する方向に、落下防止用のＣチャンネル10aが配置されている。さらに、各Ｃチャンネル10と平行に、所定の間隔を介して、一対のＴバー11が設けられている。
【００２１】
そして、直張り天井の工法については、このＣチャンネル10には、野縁材・野縁受け材接続金具である取付金具としての金属製のクリップ12が取り付けられ、このクリップ12により、Ｃチャンネル10の下側に位置し、Ｃチャンネル10と交差する方向例えば直交する方向に、野縁材であるＭバー14が取り付けられ、このＭバー14に、ボード16が取り付けられている。
【００２２】
さらに、このＣチャンネル10には、Ｍバー14に用いるクリップ12と同一形状のクリップ12により、複数の照明器具20が取り付けられ、この照明器具20により、天井板21が支持され、天井システム２が構成されている。
【００２３】
そして、クリップ12は、一般的に用いられているもので、水平状の上板部12aと、この上板部12aの一側から下方に屈曲された側板部12bとから断面略Ｌ字状に形成され、さらに、上板部12aの他側部からは、屈曲可能な爪部12cが突設されているとともに、側板部12bの下端部には両側部に切欠12dが形成され、上側に向かう一対の引掛部12eが形成されている。
【００２４】
また、Ｍバー14は、水平状の底板部14aと、この底板部14aの両側から上方に屈曲された一対の側板部14bとから上面を開口した断面略コの字状に形成されているとともに、側板部14bの上端部が内側に折り返されて引掛受部14cが形成されている。
【００２５】
そこで、クリップ12は、引掛部12eを上側の開口からＭバー14内に挿入し、若干回転させて、引掛部12eを引掛受部14cに係止した状態で、上板部12aをＣチャンネル10の上側に載せ掛け、爪部12cを手や治具を用いて下側に折り曲げることにより、Ｃチャンネル10に取り付けられる。すなわち、この状態で、Ｍバー14にＣチャンネル10が交差支持される。
【００２６】
さらに、これらＭバー14の底板部14aの下面に密着し、化粧石膏ボートなどの四辺形平板状のボード16がビスなどにより底板部14aにねじ止めされている。
【００２７】
また、照明器具20は、いわゆる逆富士形照明器具で、シャーシである器具本体22、点灯装置23、連結金具25、ランプソケット金具26、ランプソケット27、反射板28、及びランプＬなどを備えている。そして、器具本体22は、金属板を折曲し、あるいは押し出し成形などにより形成され、細長矩形状の基板部22aと、この基板部22aの両側部から下方に折曲された一対の側板部22bと、この側板部22bの下端部から両外側に水平に折曲された天井板支持部としての張出部22cとが一体に形成させている。すなわち、張出部22cは、基板部22a及び側板部22bを備えた器具本体22の本体部の両側に張り出すようにして設けられている。そして、基板部22a及び側板部22bに囲まれた部分は部品収納部となり、点灯装置23を構成するインバータ23a及び端子台23bなどが取り付けられている。さらに、ランプソケット金具26は、ランプソケット取付部26aと、このランプソケット取付部26aの両側部から上側に折曲されてそれぞれ係合などして器具本体22に連結される連結腕部26bとを備えている。また、ランプソケット27は、合成樹脂製のケース体27aの内側に、図示しない配線金具を収納し、ランプソケット取付部26aに取り付けられる取付部27bと、直管形の蛍光ランプであるランプＬの口金部が装着される口金装着部27cとなどを備えている。また、反射板28は、水平板状の主反射部28aと、この主反射部28aの両側部から上側に屈曲して延設された一対の側板部28bと、これら側板部28bの上端部から上側に延設された上縁部28cとを備えている。そして、主反射部28aは、係合あるいはねじなどを用い、ランプソケット金具26などを介して、器具本体22に支持される。また、主反射部28aには、ランプソケット27が挿通する挿通部が設けられ、各ランプソケット27の口金装着部26cが反射板28の下側に突出し、相対向するランプソケット27間に装着されたランプＬが主反射部28aの下面に対向する。また、必要に応じて、反射板28の端部には、端部を閉塞する端板28dが取り付けられる。
【００２８】
さらに、この器具本体22の基板部22aには、所定の位置に被支持部30が設けられている。この被支持部30は、孔部30aを有し、この孔部30aは、基板部22aの長手方向に長い長孔状に形成されている。
【００２９】
そして、この照明器具20は、Ｃチャンネル10にＭバー14を取り付ける際に用いたものと同じ形状のクリップ12を用い、引掛部12eを上側から孔部30aに挿入し、若干回転させて、引掛部12eを孔部30aの周囲の被支持部30に係止した状態で、上板部12aをＣチャンネル10の上側に載せ掛け、爪部12cを手や治具を用いて下側に折り曲げることにより、Ｃチャンネル10に取り付けられる。すなわち、この状態で、Ｍバー14と同様に、照明器具20がＣチャンネル10に交差支持される。
【００３０】
なお、１カ所の被支持部30の孔部30aに、複数のクリップ12を係止し、強度を増すこともできる。例えば、図１に破線で示すように、Ｃチャンネル10の反体側からもクリップ12を引っ掛け、１カ所の孔部30aに２個のクリップ12を係止することができる。
【００３１】
一方、Ｈバー方式については、照明器具20及びこの照明器具20をＣチャンネル10に取り付けるクリップ12については、上記に示す直張り天井の工法と同一であるが、このＨバー方式では、Ｍバー14及びクリップ12を用いずに、システム天井用ボードである天井板21を、照明器具20に載せ掛けて構成されている。すなわち、天井板21は、天井板本体としての四辺形平板状の岩綿吸音板などの天井ボード21aと、この天井ボード21aの上面などに取り付けられた補強材である天井板補強部としての断面略Ｈ字状のＨバー21bとから構成されている。そして、この天井板21は、照明器具20の張出部22c上に縁部を載せ掛けるのみで、ビスなどを用いることなく設置されている。なお、Ｈバー21bは、照明器具20の張出部22c(この照明器具20を用いない一般の構成ではＴバー)と直交する方向に配置される鋼材などのバー材であり、天井ボード21aの長手方向に沿って配置されている。そして、Ｈバー21bは、天井ボード21aの垂れ下がりを防ぐため、天井ボード21aの上面に取り付けられ、あるいは、図６に示すように、互いに隣接する天井ボード21a同士の間に差し込まれ、各天井ボード21aの長手方向に沿った側面部などに形成された溝部21cに係合して、各天井ボード21aを支持するようになっている。
【００３２】
なお、他のＣチャンネル10と交差するＣチャンネル10aに、Ｃ−Ｈクリップなどとも呼ばれる落下防止金具を取り付け、この落下防止金具の下側に設けた係止部を、天井板21のＨバー21bの上側部に係止して、天井板21を固定することもできる。
【００３３】
ここで、照明器具20の器具本体22の基板部22aの上面から張出部22cの上面までの寸法を離間寸法としての深さ寸法Ｄとすると、この深さ寸法Ｄは、直張り天井の工法においては、ボード16の厚みとＭバー14の厚みを足した寸法すなわちＣチャンネル10の下面からボード16の下面までの寸法と略等しく設定されている。
【００３４】
また、この深さ寸法Ｄは、Ｈバー方式においては、天井ボード21aの厚みより大きく、この深さ寸法Ｄは、天井ボード21aの厚みとＨバー21bの張り出し部分の寸法の合計すなわち天井板21の厚さ寸法と略等しく設定され、あるいは、天井板21の厚さ寸法よりも深さ寸法Ｄが多少大きくなるように設定されている。すなわち、このＨバー方式においては、照明器具20の器具本体22の埋込深さは、この照明器具20を用いない一般の構成のＴバーの厚み寸法と等しくなるように設定されている。
【００３５】
さらに、この状態で、反射板28の上縁部28cの上端部の高さ位置は、張出部22cの上面の高さ位置とほぼ等しく、反射板28がボード16及び天井板21の下面に略密着して外観を向上するようになっている。
【００３６】
なお、長手方向に照明器具20を連設する場合、図１及び図７に示すように、必要に応じて、断面略コの字状の連結金具25を用い、隣接する器具本体22にリベット32などにて固着して連結固定される。すなわち、連結金具25は、いわゆるうまであり、溶接やリベットなどにて基板部22aの長手方向の両端部近傍の下面に固定される取付板部25aと、この取付板部25aの両側部から下方に折曲された一対の支持腕部25bとを備えて断面略コの字状に形成されている。
【００３７】
また、図２に示すように、複数の照明器具20が互いに連結された連結照明器具を構成している場合などにおいて、端部に位置する照明器具20の先端部を他の部材で支持することにより、連結された照明器具20の端部の垂れを防止できる。例えば、図８に示すように、端部に位置する照明器具20の器具本体22の先端部に、専用の端部用金具40を取り付け、この端部用金具40を隣接するＴバー11に係合などして、照明器具20を支持して所定位置に固定することができる。また、この端部用金具40は、例えば金属板を折曲して形成され、金具基板部41と、この金具基板部41の両側部から下方に折曲された金具側板部42と、金具基板部41の先端部から延設されたうえ、下方に折曲された金具支持部43とを備えている。そして、この端部用金具40は、金具基板部41を器具本体22の基板部22a上に重ね、両側の金具側板部42を側板部22bの外側に重ねた状態で、各金具側板部42に設けた固着部42aを側板部22bに設けた固着受部42bにねじ、リベット、あるいは溶接などにて固着する。そして、この端部用金具40の金具支持部43をＴバー11の上端部に上側から係合し、照明器具20を支持するようになっている。
【００３８】
このように、本実施の形態の天井及び照明器具の施行方法によれば、照明器具20の器具本体22であるシャーシ部分の端部に天井板21を載せ掛ける張出部22cを設けた天井構造を採用したため、器具本体22を天井下地と兼用し、すなわち、天井下地を兼用した照明器具20に天井板21を載せ掛けて固定する工法を採ることができ、Ｍバーに天井板をビス止めする工法に比べ、当該部分のビスが不要となり、天井工事と照明設備工事の総合的な工期及びコストを削減できる。また、天井ボード21aは従来Ｔバーに載せ掛けていたが、本実施の形態の照明器具20を使用することにより、Ｔバーを不要にあるいは削減でき、コストを低減できる。
【００３９】
また、照明器具20の取り付けは、器具本体22に長孔状の孔部30aを設けたため、在来天井で広く使用されている安価なクリップ12、すなわち、Ｃチャンネル10とＭバー14とを接続する取付金具としてのクリップ12を用いて取り付けでき、専用の金具を必要とせず、コストを低減できる。
【００４０】
さらに、照明器具20の器具本体22の基板部22aの上面から張出部22cの上面までの寸法であるシャーシ部分の深さ寸法Ｄは、直張り天井の工法においては、ボード16の厚みとＭバー14の厚みを足した寸法すなわちＣチャンネル10の下面からボード16の下面までの寸法と略等しく設定されているため、ボード16をＣチャンネル10と張出部22cとの間で安定して支持できるとともに、天井を薄型化できる。また、Ｈバー方式においては、深さ寸法Ｄは、天井ボード21aの厚みとＨバー21bの張り出し部分の寸法を足したものすなわち天井板21の厚さ寸法と略等しく設定され、あるいは、深さ寸法Ｄを多少大きく設定しているため、天井板21をＣチャンネル10と張出部22cとの間で安定して支持できるとともに、天井を薄型化できる。さらに、天井システムの構造を簡略化でき、製造コストを軽減できる。
【００４１】
なお、上記の実施の形態では、直張り天井の工法とＨバー方式とをそれぞれ説明したが、両側の張出部22c上に、天井ボード21aを備えた天井板21を配置し、あるいは、両側の張出部22c上に、Ｍバー14に取り付けられるボード16を配置する他、例えば、図１に示すように、中心線Ｏの左側の張出部22c上に、天井ボード21aを備えた天井板21を配置し、中心線Ｏの右側の張出部22c上に、Ｍバー14及びボード16を配置することもできる。
【００４２】
さらに、化粧石膏ボードであるボード16はＭバー14にねじ止めしたが、照明器具20の張出部22c上に載せ掛けるのみで支持することもできる。
【００４３】
【発明の効果】
請求項１記載の照明器具によれば、天井部の支持部材に器具本体を取り付けた状態で、この器具本体の天井板支持部に天井板を支持させ、天井板を設置できる。このため、器具本体をいわば天井下地と兼用することにより、天井板を支持する部材を廃止あるいは削減でき、天井工事と照明設備工事の全体的な工期及びコストを削減できる。
【００４４】
請求項２記載の照明器具によれば、請求項１記載の効果に加え、天井板支持部は、略水平板状に突設された張出部としたため、Ｔバーを用いることなく、Ｔバーを備えたシステム天井と同様の施工作業が可能になり、設置作業を短時間で容易にできるとともに、照明器具の構造を簡略化し、製造コストを容易に低減できる。
【００４５】
請求項３記載の天井システムによれば、請求項１または２記載の照明器具を備えたため、天井板の設置を容易にできるとともに、天井板を支持する部材の廃止あるいは削減が可能になり、天井工事と照明設備工事の全体的な工期及びコストを削減できる。
【００４６】
請求項４記載の天井システムによれば、請求項３記載の効果に加え、天井板は、天井板本体と、この天井板本体に組み合わせられた天井板補強部とを備え、支持部材と天井板支持部との間の離間寸法は、天井板本体と天井板補強部とを組み合わせた天井板の厚さ寸法よりも大きく設定されたため、天井板本体と天井板補強部とを組み合わせた天井板を、支持部材と天井板支持部との間で安定して支持でき、天井システムの構造を簡略化でき、製造コストを軽減できる。
【００４７】
請求項５記載の天井システムによれば、天井部の支持部材に器具本体を取り付けた状態で、この器具本体の天井板支持部に天井板を支持させ、天井板を設置できる。このため、器具本体をいわば天井下地と兼用することにより、天井板を支持する部材を廃止あるいは削減でき、天井工事と照明設備工事の全体的な工期及びコストを削減できる。そして、天井板の設置を容易にできるとともに、天井板を支持する部材の廃止あるいは削減が可能になり、天井工事と照明設備工事の全体的な工期及びコストを削減できる。そして、支持部材と天井板支持部との間の離間寸法は、天井板の厚さ寸法よりも大きく設定され、さらに、支持部材としてのＣチャンネルに取り付けられたＭバーの厚さ寸法及びこのＭバーに取り付けられたボードの厚さ寸法の合計寸法に略等しくなるように設定されているため、天井板を支持部材と天井板支持部との間で安定して支持でき、ボードをＣチャンネルに取り付けられたＭバーと天井板支持部との間で安定して支持できるとともに、天井を薄型化できる。
【図面の簡単な説明】
【図１】本発明の照明器具及び天井システムの一実施の形態を示す断面図である。
【図２】同上照明器具及び天井システムの下方から見た斜視図である。
【図３】同上照明器具及び天井システムの上方から見た斜視図である。
【図４】同上照明器具及び天井システムの上方から見た斜視図である。
【図５】同上照明器具の構成を示す説明図である。
【図６】同上天井システムの構成を示す説明図である。
【図７】同上照明器具の構成を示す説明図である。
【図８】同上照明器具の構成を示す説明図である。
【符号の説明】
１    天井部
２    天井システム
10    支持部材としてのＣチャンネル
14    Ｍバー
16    ボード
20    照明器具
21    天井板
21a   天井板本体としての天井ボード
21b   天井板補強部としてのHバー
22    器具本体
22a 基板部
22b 側板部
22c   天井板支持部としての張出部
23    点灯装置
25 連結金具
27    ランプソケット
28 反射板
30    被支持部
Ｄ    離間寸法としての深さ寸法
Ｌ ランプ
【図１】
0004553090.tif 000002
【図２】
0004553090.tif 000003
【図３】
0004553090.tif 000004
【図４】
0004553090.tif 000005
【図５】
0004553090.tif 000006
【図６】
0004553090.tif 000007
【図７】
0004553090.tif 000008
【図８】
0004553090.tif 000009